(57)【要約】【課題】  分岐部のコンパクト化を図りながら、分岐部を安定して固定できる多心光ファイバ分岐構造を得る。【解決手段】  多心光ファイバ１を２分岐以上に分岐するに際して、その分岐部を、分岐後の光ファイバにそれぞれ被せた保護チューブ３の端部を含めて、上下２枚の軟質樹脂製のシート１４，１５で挟み込む。シート１４、１５の幅を、上下のシート同士が互いに貼り合わされない程度の短い幅とし、かつ、少なくともシート部分全体を熱収縮チューブ１６内に収容固定する。【選択図】  図１
2005292551.tif 000002
【特許請求の範囲】
【請求項１】
多心光ファイバをこの多心光ファイバより少心の複数の光ファイバに分岐する際に、その分岐部を、分岐後の光ファイバにそれぞれ被せた保護チューブの端部を含めて、上下２枚の軟質樹脂製のシートで挟み込んでなる多心光ファイバ分岐構造において、
前記シートの幅を、上下のシート同士が互いに貼り合わされない程度の短い幅とし、かつ、少なくともシート部分全体を熱収縮チューブ内に収容固定したことを特徴とする多心光ファイバ分岐構造。
【請求項２】
前記上下のシートの幅が、互いに接触して横並びした複数の保護チューブの全幅と同程度であることを特徴とする請求項１記載の多心光ファイバ分岐構造。
【請求項３】
分岐前の多心光ファイバがテープ心線であることを特徴とする請求項１又は２記載の多心光ファイバ分岐構造。
【請求項４】
分岐前の多心光ファイバが、被覆チューブ内に単心又は多心の光ファイバを収容した構成であり、この被覆チューブの端部も、上下２枚のシートで挟み込んだことを特徴とする請求項１又は２記載の多心光ファイバ分岐構造。
【発明の詳細な説明】
【技術分野】
【０００１】
この発明は、多心光ファイバを分岐させる際に、分岐部を２枚のシートで挟み込んだ構造の多心光ファイバ分岐構造に関する。
【背景技術】
【０００２】
従来、多心光ファイバ、例えばテープ心線を２分岐以上に分岐させる場合、テープ心線の分岐部を粘着剤付きの上下２枚のシートで挟み込むことで分岐部の補強を行う場合がある。この分岐に際して、テープ心線を特に単心光ファイバに分離する場合は、この単心光ファイバの取り扱いが不便であるとともに断線の恐れもあるため、通常小径の保護チューブで保護する。この種の従来の多心光ファイバ分岐構造の一例を図９、図１０に示す。図示例は分岐前の多心光ファイバ１が８心のテープ心線であって、この８心のテープ心線（多心光ファイバ）１を２分岐する場合であり、分離させた８本の光ファイバ（単心光ファイバ）２を４本ずつ２群に分け、それぞれを保護チューブ３内に収容し、分岐部を保護チューブ３の端部を含めて、上下２枚の粘着剤付きのシート４、５で挟み込んで固定している。なお、シートの粘着剤は上下のシート４、５の少なくとも一方に塗布されておればよい。
【０００３】
図示のように、従来の多心光ファイバ分岐構造は、上下のシート４、５同士が、横並びの保護チューブ３の両側ａでしっかり粘着して、分岐部及び保護チューブ３の端部を固定するように、シート４、５の幅を十分広くとっている。
【特許文献１】特開２００２−３５０６５０号
【発明の開示】
【発明が解決しようとする課題】
【０００４】
上記従来の多心光ファイバ分岐構造では、上下のシート４、５で横並びの保護チューブ３を挟み込んでしっかり固定するために、シート４、５の幅を、横並びの保護チューブ３の全幅より十分広く取る必要があり、このため大きなシート４、５が必要で、このシート４、５部分すなわち分岐構造部分が広いスペースを占めてしまうという問題がある。
また、保護チューブ３の径は例えば２ｍｍφ等であり、光ファイバ２の径と比べて大きく、シート４、５同士の密着力を低下させるので、この保護チューブ３の部分でシート４、５が剥がれてしまう恐れがある。
【０００５】
本発明は上記従来の欠点を解消するためになされたもので、多心光ファイバを、上下から挟み込むシートを用いて分岐させる際に、分岐部の安定した固定がなされて長期信頼性を向上させることができるとともに、分岐構造部分をコンパクトにすることができる多心光ファイバ分岐構造を提供することを目的とする。
【課題を解決するための手段】
【０００６】
上記課題を解決する本発明は、多心光ファイバをこの多心光ファイバより少心の複数の光ファイバに分岐する際に、その分岐部を、分岐後の光ファイバにそれぞれ被せた保護チューブの端部を含めて、上下２枚の軟質樹脂製のシートで挟み込んでなる多心光ファイバ分岐構造において、
前記シートの幅を、上下のシート同士が互いに貼り合わされない程度の短い幅とし、かつ、少なくともシート部分全体を熱収縮チューブ内に収容固定したことを特徴とする。
【０００７】
請求項２は、請求項１の多心光ファイバ分岐構造において、上下のシートの幅が、互いに接触して横並びした複数の保護チューブの全幅と同程度であることを特徴とする。
【０００８】
請求項３は、請求項１又は２の多心光ファイバ分岐構造において、分岐前の多心光ファイバがテープ心線であることを特徴とする。
【０００９】
請求項４は、請求項１又は２の多心光ファイバ分岐構造において、分岐前の多心光ファイバが被覆チューブ内に単心又は多心の光ファイバを収容した構成であり、この被覆チューブの端部も、上下２枚のシートで挟み込んだことを特徴とする。
【発明の効果】
【００１０】
本発明によれば、シート同士の粘着力は利用しないので、シートの幅を例えば横並びの保護チューブの全幅程度に狭くすることができ、したがって、分岐構造部分をコンパクトにすることができる。
一方、幅の狭いシートで保護チューブを挟み込んだその上から熱収縮チューブで固定するので、シートの幅の狭いことは問題にならず、分岐部の安定した固定がなされて長期信頼性が向上する。
【００１１】
請求項３のように分岐前の多心光ファイバがテープ心線である場合が、分岐部を上下のシートで挟み込む構造に適しており、本発明を適用する対象として好適である。
【００１２】
請求項４のように、分岐前の多心光ファイバが保護チューブ内に単心又は多心の光ファイバを収容したものである場合、この分岐前側の保護チューブをしっかり固定するためにシート幅が広くなり勝ちであるが、本発明によればそのような場合でも、分岐構造部分が広くならない。
【発明を実施するための最良の形態】
【００１３】
以下、本発明を実施した多心光ファイバ分岐構造について、図面を参照して説明する。
【実施例１】
【００１４】
図１は本発明の一実施例の多心光ファイバ分岐構造１０を示すもので、（イ）は部分切欠平面図、（ロ）部分切欠側面図、図２（イ）は図１（イ）のＡ−Ａ拡大断面図、図２（ロ）は図１（イ）のＢ−Ｂ拡大断面図である。図示例は分岐前の多心光ファイバ１が８心のテープ心線であって、この８心のテープ心線（多心光ファイバ）１を２分岐する場合であり、分離させた８本の光ファイバ（単心光ファイバ）２を４本ずつ２群に分け、それぞれを互いに接触して横並びした保護チューブ３内に収容し、分岐部は、保護チューブ３の端部を含めて、それぞれ粘着剤を内側面に塗布した上下の軟質樹脂製のシート１４、１５で挟み込んでいる。なお、光ファイバ２の保護チューブ３への入口部は、接着剤ｂで保護チューブ３の端部に固定している。
【００１５】
前記シート１４、１５の幅は、上下のシート１４、１５同士が互いに貼り合わされない程度の短い幅であるが、実施例では図２（イ）のように、横並びの保護チューブ３の全幅程度であり、上下のシート１４、１５は互いに接触していない。そして、シート１４、１５部分の長手方向全体及びその前後部分を、熱収縮チューブ１６で収容固定している。具体的な作業手順としては、加熱前の熱収縮チューブをテープ心線１に通しておき、分岐部を上下からシート１４、１５で挟み込んだ後、スライドさせてシート１４、１５部分に被せ、次いで加熱して収縮させ、図示のように、分岐部を固定する。
【００１６】
前記シート１４、１５の厚みは例えば０．５ｍｍ、保護チューブ３の径は２ｍｍφである。シート１４、１５の材質は、一般的な光ファイバシートに用いられる軟質樹脂であり、例えばポリイミドが好適であるが、その他、ポリエチレンテレフタレート、低密度あるいは高密度ポリエチレン、ポリプロピレン、ポリエステル、ナイロン６、ナイロン６６、エチレン−テトラフルオルエチレン共重合体、ポリ４−メチルペンテン、ポリ塩化ビニリデン、可塑化ポリ塩化ビニル、ポリエーテルエステル共重合体、エチレン−酢酸ビニル共重合体、軟質ポリウレタン等を用いることができる。保護チューブ３の材質としては、ナイロン、ハイトレル（デュポン社商標）等を用いることができる。熱収縮チューブ１６の材質は、シリコーン樹脂やビニル樹脂（架橋ポリオレフィン）やフッ素樹脂等を用いることができる。また、図示例のテープ心線１は、２５０μｍのＵＶ素線である光ファイバ２を図２（ロ）に示すように、単に整列させて接着剤で固めたものである。なお、分岐前のテープ心線は図３のように被覆１ａを持つテープ心線１’であっても、同様な分岐処理を行うことができる。
【００１７】
上記の多心光ファイバ分岐構造１０において、上下のシート１４、１５の幅は図示のように横並びの保護チューブ３の全幅程度であり、図９、図１０に示した従来のものと比較してかなり狭くなっている。したがって、分岐構造部分をコンパクトにすることができる。
幅の狭い上下のシート４、５はそれぞれ保護チューブ３の上面又は下面に粘着しているが、シート１４、１５同士は互いに接触せず、互いに粘着されてはいない。しかし、シート１４、１５部分の全体を熱収縮チューブ１６で収容固定しているので、分岐部の安定した固定がなされて長期信頼性が向上する。
【実施例２】
【００１８】
上記の実施例では、分離させた８本の単心光ファイバ２を４本ずつの２群に分けて、各保護チューブ３に収容したが、図４に示すように、８心のテープ心線１を２本の４心テープ心線２２に分岐させて、各４心テープ心線２２を２本の保護チューブ３にそれぞれ収容する分岐構造としてもよい。
【００１９】
また、８心のテープ心線１を、図５（イ）に示すように４本の２心テープ心線３２に分岐させて、各２心テープ心線３２を４本の保護チューブ３にそれぞれ収容する分岐構造としてもよい。
【００２０】
また、多心光ファイバ１を、単心光ファイバと多心光ファイバとが混在する態様で分岐させてもよい。図５（ロ）はその一例を示すもので、図示例では、４本の保護チューブ３に分岐する場合であり、各保護チューブ３にそれぞれ、２本の２心テープ心線３２、１本の２心テープ心線３２、１本の単心光ファイバ２、１本の単心光ファイバ２を収容している。
【実施例３】
【００２１】
上述の各実施例は分岐前の多心光ファイバ１がテープ心線１であるが、分岐前の多心光ファイバが、図６〜図８に示すように、被覆チューブ１８内に単心又は多心の光ファイバを収容した構成であってもよい。
図６、図７に示した分岐前の多心光ファイバ１７は、１本の８心テープ心線１を被覆チューブ１８内に収容したものである。
また、図８（イ）に示した分岐前の多心光ファイバ２７は、２本の４心テープ心線４２を被覆チューブ１８内に収容したものである。
また、図８（ロ）に示した分岐前の多心光ファイバ３７は、８本の単心光ファイバ２を被覆チューブ１８内に収容したものである。
【図面の簡単な説明】
【００２２】
【図１】本発明の一実施例の多心光ファイバ分岐構造を示すもので、（イ）は部分切欠平面図、（ロ）部分切欠側面図である。
【図２】（イ）は図１（イ）のＡ−Ａ拡大断面図、（ロ）は図１（イ）のＢ−Ｂ拡大断面図である。
【図３】図１、図２における分岐前の多心光ファイバの他の実施例を示す断面図である。
【図４】分岐後の光ファイバの他の実施例を示す断面図である。
【図５】（イ）、（ロ）はそれぞれ分岐後の光ファイバのさらに他の実施例を示す断面図である。
【図６】本発明の他の実施例の多心光ファイバ分岐構造を示すもので、（イ）は部分切欠平面図、（ロ）部分切欠側面図である。
【図７】図６におけるＣ−Ｃ拡大断面図である。
【図８】（イ）、（ロ）はそれぞれ図６における分岐前の多心光ファイバの他の実施例を示す断面図である。
【図９】従来の多心光ファイバ分岐構造を示す部分切欠平面図である。
【図１０】図９のＤ−Ｄ拡大断面図である。
【符号の説明】
【００２３】
１、１’  多心光ファイバ（テープ心線）
２  単心光ファイバ
３  保護チューブ
１０  多心光ファイバ分岐構造
１４、１５  シート
１６  熱収縮チューブ
１８  被覆チューブ
１７、２７、３７  多心光ファイバ
【図１】
2005292551.tif 000003
【図２】
2005292551.tif 000004
【図３】
2005292551.tif 000005
【図４】
2005292551.tif 000006
【図５】
2005292551.tif 000007
【図６】
2005292551.tif 000008
【図７】
2005292551.tif 000009
【図８】
2005292551.tif 000010
【図９】
2005292551.tif 000011
【図１０】
2005292551.tif 000012